【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
振動体と、
前記振動体に加圧接触して回転する回転体と、
前記回転体を支持する軸と、
前記振動体が固定される固定部材と、
前記回転体を前記振動体に加圧接触させる加圧部材と、
前記固定部材に保持される外輪及び前記軸と共に回転する内輪を有する転がり軸受と、
前記軸と前記転がり軸受の内輪との間に設けられ、少なくとも表面が固体潤滑性を備える固体潤滑部材と
を有する振動アクチュエータ。
【請求項２】
請求項１に記載の振動アクチュエータにおいて、
前記固体潤滑部材は、その材料が衝撃緩衝性を備えること、
を特徴とする振動アクチュエータ。
【請求項３】
請求項１又は請求項２に記載の振動アクチュエータにおいて、
前記固体潤滑部材は、その材料が樹脂であること、
を特徴とする振動アクチュエータ。
【請求項４】
請求項３に記載の振動アクチュエータにおいて、
前記樹脂は、ポリアセタール、ポリテトラフルオロエチレン、ポリアミド、ポリプロピレン及びポリエチレンからなる群のうち少なくとも１つを有すること、
を特徴とする振動アクチュエータ。
【請求項５】
請求項１から請求項４までのいずれか１項に記載の振動アクチュエータにおいて、
前記固体潤滑部材は、前記軸に固定され、
前記転がり軸受の内輪は、前記固体潤滑部材に対して前記軸の軸方向に移動可能としたこと、
を特徴とする振動アクチュエータ。
【請求項６】
請求項１から請求項４までのいずれか１項に記載の振動アクチュエータにおいて、
前記固体潤滑部材は、前記転がり軸受の内輪に固定され、前記軸に対してその軸方向に移動可能としたこと、
を特徴とする振動アクチュエータ。
【請求項７】
請求項６に記載の振動アクチュエータにおいて、
前記加圧部材は、
前記軸に対してその軸方向に固定された第１のばね受け部と、
前記転がり軸受の内輪に対して前記軸方向に固定された第２のばね受け部と、
前記第１のばね受け部と前記第２のばね受け部との間に設けられるコイルばねとを有し、
前記第２のばね受け部を前記固体潤滑部材と一体に形成したこと、
を特徴とする振動アクチュエータ。
【請求項８】
請求項１から請求項４までのいずれか１項に記載の振動アクチュエータにおいて、
前記加圧部材は、
前記軸に対してその軸方向に固定された第１のばね受け部と、
前記転がり軸受の内輪に対して前記軸方向に固定され、前記個体潤滑部材と一体に形成された第２のばね受け部とを有し、
前記第２のばね受け部は、前記転がり軸受の内輪と前記軸方向で接していること、
を特徴とする振動アクチュエータ。
【請求項９】
請求項１から請求項４までのいずれか１項に記載の振動アクチュエータにおいて、
前記軸は、前記転がり軸受に対応する部分の外径が他の部分より小さく形成されており、その外径が小さく形成された部分に前記個体潤滑部材が形成されていること、
を特徴とする振動アクチュエータ。
【請求項１０】
振動体と、
前記振動体に加圧接触して回転する回転体と、
前記回転体を支持する軸と、
前記振動体が固定される固定部材と、
前記回転体を前記振動体に加圧接触させる加圧部材と、
前記固定部材に保持される外輪及び前記軸と接し共に回転する内輪を有する転がり軸受と
を有し、
前記軸と前記転がり軸受の内輪との接触面の少なくとも一方が固体潤滑性を備えること、
を特徴とする振動アクチュエータ。
【請求項１１】
請求項１０に記載の振動アクチュエータにおいて、
前記軸は、その材料が樹脂であること、
を特徴とする振動アクチュエータ。
【請求項１２】
請求項１１に記載の振動アクチュエータにおいて、
前記樹脂は、ポリアセタール、ポリテトラフルオロエチレン、ポリアミド、ポリプロピレン、ポリエチレン及びポリカーボネイトからなる群のうち少なくとも１つを有すること、
を特徴とする振動アクチュエータ。
【請求項１３】
請求項１１又は請求項１２に記載の振動アクチュエータにおいて、
前記樹脂は、強化用繊維を含有すること、
を特徴とする振動アクチュエータ。
【手続補正２】
【補正対象書類名】明細書
【補正対象項目名】００２１
【補正方法】変更
【補正の内容】
【００２１】
請求項６に記載の発明は、請求項１から請求項４までのいずれか１項に記載の振動アクチュエータ（１０Ａ）において、前記固体潤滑部材（３０）は、前記転がり軸受（１７）の内輪（１７ｂ）に固定され、前記軸（１８）に対して、その軸方向に移動可能としたこと、を特徴とする振動アクチュエータ（１０Ａ）である。
【手続補正３】
【補正対象書類名】明細書
【補正対象項目名】００２２
【補正方法】変更
【補正の内容】
【００２２】
請求項７に記載の発明は、請求項６に記載の振動アクチュエータ（１０Ａ）において、前記加圧部材（１９）は、前記軸に対してその軸方向に固定された第１のばね受け部（２２）と、前記転がり軸受（１７）の内輪（１７ｂ）に対して前記軸方向に固定された第２のばね受け部（３１）と、前記第１のばね受け部と前記第２のばね受け部との間に設けられるコイルばね（２０）とを有し、前記第２のばね受け部（３１）を前記固体潤滑部材（３０）と一体に形成したこと、を特徴とする振動アクチュエータ（１０Ａ）である。
【手続補正４】
【補正対象書類名】明細書
【補正対象項目名】００２３
【補正方法】変更
【補正の内容】
【００２３】
請求項８に記載の発明は、請求項１から請求項４までのいずれか１項に記載の振動アクチュエータ（１０Ａ）において、前記加圧部材（１９Ａ）は、前記軸（１８）に対してその軸方向に固定された第１のばね受け部（２２）と、前記転がり軸受（１７）の内輪（１７ｂ）に対して前記軸方向に固定され、前記個体潤滑部材（３０）と一体に形成された第２のばね受け部（３１）とを有し、前記第２のばね受け部（３１）は、前記転がり軸受（１７）の内輪（１７ｂ）と前記軸方向で接していること、を特徴とする振動アクチュエータ（１０Ａ）である。
請求項９に記載の発明は、請求項１から請求項４までのいずれか１項に記載の振動アクチュエータ（１０Ｂ）において、前記軸（１８Ｂ）は、前記転がり軸受（１７）に対応する部分の外径が他の部分より小さく形成されており、その外径が小さく形成された部分に前記個体潤滑部材（３０Ｂ）が形成されていること、を特徴とする振動アクチュエータ（１０Ｂ）である。
請求項１０に記載の発明は、振動体（１１）と、前記振動体に加圧接触して回転する回転体（１５）と、前記回転体（１５）を支持する軸（１８Ｃ）と、前記振動体（１１）が固定される固定部材（１６）と、前記回転体（１５）を前記振動体（１１）に加圧接触させる加圧部材（１９）と、前記固定部材（１６）に保持される外輪（１７ａ）及び前記軸（１８Ｃ）と接し共に回転する内輪（１７ｂ）を有する転がり軸受（１７）とを有し、前記軸（１８Ｃ）と前記転がり軸受（１７）の内輪（１７ｂ）との接触面の少なくとも一方が固体潤滑性を備えること、を特徴とする振動アクチュエータ（１０Ｃ）である。
【手続補正５】
【補正対象書類名】明細書
【補正対象項目名】００２４
【補正方法】変更
【補正の内容】
【００２４】
請求項１１に記載の発明は、請求項１０に記載の振動アクチュエータ（１０Ｃ）において、前記軸（１８Ｃ）は、その材料が樹脂であること、を特徴とする振動アクチュエータ（１０Ｃ）である。
【手続補正６】
【補正対象書類名】明細書
【補正対象項目名】００２５
【補正方法】変更
【補正の内容】
【００２５】
請求項１２に記載の発明は、請求項１１に記載の振動アクチュエータ（１０Ｃ）において、前記樹脂は、ポリアセタール、ポリテトラフルオロエチレン、ポリアミド、ポリプロピレン、ポリエチレン及びポリカーボネイトからなる群のうち少なくとも１つを有すること、を特徴とする振動アクチュエータ（１０Ｃ）である。
【手続補正７】
【補正対象書類名】明細書
【補正対象項目名】００２６
【補正方法】変更
【補正の内容】
【００２６】
請求項１３に記載の発明は、請求項１１又は請求項１２に記載の振動アクチュエータ（１０Ｃ）において、前記樹脂は、強化用繊維を含有すること、を特徴とする振動アクチュエータ（１０Ｃ）である。